(57)【要約】【課題】  電子楽器の表示画面に表示されるまたは音声にて通知される内容を複数の電子楽器において同じに維持できるようにする。【解決手段】  複数の発音指示スイッチと、音色選択やモード選択用の複数の選択スイッチとを介して行われた操作状態を逐次検出する操作情報検出手段２０１と、上記操作情報検出手段２０１によって検出された操作情報に基づいて上記電子楽器の発音制御、音色選択制御、及びモード選択制御を行う動作制御手段２０２と、上記操作情報検出手段２０１によって逐次検出された全ての操作状態を内部操作データとしてコード化して外部機器に出力する内部操作データ出力手段２０３と、上記外部機器から供給されるコード化された操作データを外部操作データとして上記動作制御手段に供給する外部操作データ供給手段２０４とを設け、演奏データだけではなく、各種編集モードでの操作データも複数の電子楽器において共有できるようにする。【選択図】  図３
2005284077.tif 000002
【特許請求の範囲】
【請求項１】
複数の発音指示スイッチと、音色選択やモード選択用の複数の選択スイッチとを有する電子楽器において、
上記発音指示スイッチ及び選択スイッチを介して行われた操作状態を逐次検出する操作情報検出手段と、
上記操作情報検出手段によって検出された操作情報に基づいて上記電子楽器の発音制御、音色選択制御、及びモード選択制御を行う動作制御手段と、
上記操作情報検出手段によって逐次検出された全ての操作状態をコード化し、内部操作データとしてコード化して外部機器に出力する内部操作データ出力手段と、
上記外部機器から供給されるコード化された操作データを外部操作データとして上記動作制御手段に供給する外部操作データ供給手段とを有することを特徴とする電子楽器。
【請求項２】
上記コード化された内部操作データ及び上記外部操作データの内容を表示装置に表示する表示制御手段を更に有し、
回線を介して接続した複数台の電子楽器で演奏操作を行っている場合には、上記接続されている各電子楽器において常に同じ内容を上記表示装置に表示可能としたことを特徴とする請求項１に記載の電子楽器。
【請求項３】
上記コード化された内部操作データ及び上記外部操作データの内容を音声発音装置に発音させる発音制御手段を更に有し、
回線を介して接続した複数台の電子楽器で演奏操作を行っている場合には、上記接続されている各電子楽器において常に同じ内容を上記音声発音装置にて発音可能としたことを特徴とする請求項１に記載の電子楽器。
【請求項４】
上記操作情報検出手段によって検出された操作情報を外部記憶媒体に記憶するとともに、外部記憶媒体に記憶されている操作情報を読み出して上記動作制御手段及び上記表示制御手段に出力する外部記憶媒体制御手段を更に有することを特徴とする請求項１〜３の何れか１項に記載の電子楽器。
【請求項５】
上記請求項２または４に記載の電子楽器の複数台を、回線を介して接続してなる電子楽器における操作情報共有システムであって、
上記複数台の電子楽器の夫々は、上記回線を介して接続されている電子楽器に対して、上記内部操作データ出力手段により内部操作情報を出力するとともに、上記回線を介して接続されている電子楽器から、上記外部操作データ供給により外部操作情報を入力するように構成され、
上記表示制御手段により、上記内部操作データ及び外部操作データを上記表示装置に表示することを特徴とする電子楽器における操作情報共有システム。
【請求項６】
複数の発音指示スイッチと、音色選択やモード選択用の複数の選択スイッチとを有する電子楽器における表示制御方法において、
上記発音指示スイッチ及び選択スイッチを介して行われた操作状態を逐次検出する操作情報検出工程と、
上記操作情報検出工程によって検出された操作情報に基づいて上記電子楽器の発音制御、音色選択制御、及びモード選択制御を行う動作制御工程と、
上記操作情報検出工程によって逐次検出された全ての操作状態を内部操作データとしてコード化して外部機器に出力する内部操作データ出力工程と、
上記外部機器から供給されるコード化された操作データを外部操作データとして上記動作制御工程の制御手段に供給する外部操作データ供給工程とを有することを特徴とする電子楽器における表示制御方法。
【請求項７】
上記内部操作データ及び上記外部操作データの内容を表示装置に表示する表示制御工程を更に有し、
回線を介して接続した複数台の電子楽器で演奏操作を行っている場合には、上記接続されている各電子楽器において常に同じ内容を上記表示装置に表示可能としたことを特徴とする請求項６に記載の電子楽器における表示制御方法。
【請求項８】
上記操作情報検出工程によって検出された操作情報を外部記憶媒体に記憶するとともに、外部記憶媒体に記憶されている操作情報を読み出して上記動作制御工程の制御手段及び上記表示制御工程の表示制御手段に出力する外部記憶媒体制御工程を更に有することを特徴とする請求項６または７に記載の電子楽器における表示制御方法。
【発明の詳細な説明】
【技術分野】
【０００１】
本発明は、電子楽器、電子楽器における操作情報共有システム、電子楽器における表示制御方法に関し、特に、電子楽器を用いたレッスンにおいて、先生と生徒が同一時間に同一場所にいなくてもレッスンをしやすいシステムを提供する技術に関し、遠隔地におけるリアルタイムレッスンや、先生から供給された外部記憶媒体を用いた自宅復習レッスンに用いて好適なものである。
【背景技術】
【０００２】
従来の電子楽器は、演奏情報を共有する手段として、例えばＭＩＤＩケーブルを利用した楽器間接続や、ＳＭＦ形式等で記憶した外部記憶媒体（ＦＤ等）を用いて異なる楽器に操作情報を読み込み（Ｌｏａｄ）共有する方式等があった。
【０００３】
上記共有方式によれば、複数の電子楽器にＭＩＤＩケーブルを適切に接続するだけで、１台の楽器の演奏情報（音色データ、音量データ、キーオンオフデータ、その他各種操作子制御データ）を共有し、同時に同じ演奏情報に基づき略同じ音色で発音することができた。
【０００４】
また、時間的に前後しても良ければ、ＳＭＦ形式で記憶されたディスクを用いて、いずれの電子楽器においても同じ演奏情報にて略同じ内容で演奏することができた。これらＭＩＤＩケーブルを利用して接続するシステム、及びＳＭＦ形式ファイルを用いた再生システムは、既に完成した演奏情報を再生するときには略１００パーセントの再現性がある。
【０００５】
また、特許文献１には、演奏操作教示装置の演奏操作子を操作すると、その操作子の操作状態に対応した演奏操作情報が電波で演奏操作装置に送信され、演奏操作装置は上記電波を受信すると各種の方法で演奏すべき被演奏操作子を直接指示する技術が記載されている。
【０００６】
【特許文献１】実開平５−５２８６９号公報
【発明の開示】
【発明が解決しようとする課題】
【０００７】
しかし、演奏者がレッスンする場合などにおいては、曲の途中で停止したり、または特定小節まで戻って再度演奏を繰り返したり、特定小節まで飛んでそこから演奏を開始したり、最終的には両手で演奏するところを右手のみで演奏して左手は模範演奏データで再生させたりすることがある。更には、演奏の元となる各種効果設定を一部修正したりする必要が生じたりすることがある。
【０００８】
つまり、１曲再生型の演奏情報だけでなく、レッスン生を指導するために電子楽器のパネル操作方法まで再現したい場合がある。このような場合に、従来の電子楽器におけるＭＩＤＩ接続したシステムや、ＳＭＦ形式で記憶された演奏データでは、一方の電子楽器の表示画面に表示されている内容を他の電子楽器の表示画面に再現することができなかった。同様に、選択されているモードの再現性もままならなかった。
【０００９】
本発明は上述の問題点にかんがみ、電子楽器の表示画面に表示されるまたは音声にて通知される内容を複数の電子楽器において同じように維持できるようにすることを目的とする。
【課題を解決するための手段】
【００１０】
本発明の電子楽器は、複数の発音指示スイッチと、音色選択やモード選択用の複数の選択スイッチとを有する電子楽器において、上記発音指示スイッチ及び選択スイッチを介して行われた操作状態を逐次検出する操作情報検出手段と、上記操作情報検出手段によって検出された操作情報に基づいて上記電子楽器の発音制御、音色選択制御、及びモード選択制御を行う動作制御手段と、上記操作情報検出手段によって逐次検出された全ての操作状態をコード化し、内部操作データとしてコード化して外部機器に出力する内部操作データ出力手段と、上記外部機器から供給されるコード化された操作データを外部操作データとして上記動作制御手段に供給する外部操作データ供給手段とを有することを特徴としている。
【００１１】
本発明の電子楽器における操作情報共有システムは、複数の発音指示スイッチと、音色選択やモード選択用の複数の選択スイッチとを有する電子楽器において、上記発音指示スイッチ及び選択スイッチを介して行われた操作状態を逐次検出する操作情報検出手段と、上記操作情報検出手段によって検出された操作情報に基づいて上記電子楽器の発音制御、音色選択制御、及びモード選択制御を行う動作制御手段と、上記操作情報検出手段によって逐次検出された全ての操作状態を内部操作データとしてコード化して外部機器に出力する内部操作データ出力手段と、上記外部機器から供給されるコード化された操作データを外部操作データとして上記動作制御手段に供給する外部操作データ供給手段と、上記内部操作データ及び上記外部操作データの内容を表示装置に表示する表示制御手段とを有し、回線を介して接続した複数台の電子楽器で演奏操作を行っている場合には、上記接続されている各電子楽器において常に同じ内容を上記表示装置に表示可能とした電子楽器の複数台を、回線を介して接続してなる電子楽器における操作情報共有システムであって、上記複数台の電子楽器の夫々は、上記回線を介して接続されている電子楽器に対して、上記内部操作データ出力手段により内部操作情報を出力するとともに、上記回線を介して接続されている電子楽器から、上記外部操作データ供給により外部操作情報を入力するように構成され、上記表示制御手段により、上記内部操作データ及び外部操作データを上記表示装置に表示することを特徴としている。
【００１２】
本発明の電子楽器における表示制御方法は、複数の発音指示スイッチと、音色選択やモード選択用の複数の選択スイッチとを有する電子楽器における表示制御方法において、上記発音指示スイッチ及び選択スイッチを介して行われた操作状態を逐次検出する操作情報検出工程と、上記操作情報検出工程によって検出された操作情報に基づいて上記電子楽器の発音制御、音色選択制御、及びモード選択制御を行う動作制御工程と、上記操作情報検出工程によって逐次検出された全ての操作状態を内部操作データとしてコード化して外部機器に出力する内部操作データ出力工程と、上記外部機器から供給されるコード化された操作データを外部操作データとして上記動作制御工程の制御手段に供給する外部操作データ供給工程とを有することを特徴としている。
【発明の効果】
【００１３】
本発明によれば、同一若しくは略同一に構成された複数の電子楽器を、ケーブルを用いて接続することにより、各電子楽器の操作状態を常に全く同じ状態に維持することができる。これにより、本発明の電子楽器を用いて電子楽器のレッスンシステムを構築すれば、生徒は先生の操作手順を生徒自身の電子楽器ににおいて逐一知ることができる。同様に、先生は生徒の操作手順をテレビ電話でなく先生の電子楽器の表示装置にて容易に知ることができるので、「こうしたら良い」というような指導を迅速に、且つ的確に行うことができ、テレビ電話を通して操作状態を知るレッスンと比較して操作手順のレッスン効率を大幅に向上させることができる。
【００１４】
また、本発明のその他の特徴によれば、コード化された内部操作データ及び外部操作データの内容を表示装置に表示する表示制御手段を設け、回線を介して接続した複数台の電子楽器で演奏操作を行っている場合には、上記接続されている各電子楽器において常に同じ内容を上記表示装置に表示できるようにしたので、操作手順を視覚的に認識することが可能となり、操作手順のレッスン効率を更に向上させることができる。
【発明を実施するための最良の形態】
【００１５】
図１は、本発明に係る電子楽器の全体的な構成を示す概略ブロック図である。
図１において、５０はコンピュータシステムであり、ＣＰＵ１、ＲＯＭ２及びＲＡＭ３等によって構成されている。ＣＰＵ１は、ＲＯＭ２のプログラムメモリ部に記憶された制御プログラムに従って電子楽器１００の各部を制御するとともに、ＲＯＭ２上に記憶されている演奏情報と、音色情報とに基づいて調律曲線情報を読み出して、波形の読み出し速度を演算して、楽音信号発生部７に送る制御を行うものである。
【００１６】
このような制御を行うために、上記ＣＰＵ１には音色設定部、音色選択部及び制御部等が設けられている。上記音色設定部は、音色選択スイッチの操作により指定された音色、例えばギターやピアノ等の音色を設定してＲＡＭ３の所定の領域に記憶させる。上記音色設定部により行われる音色の設定状況は制御部により読み取られ、ピッチの制御に使用される。
【００１７】
ＲＡＭ３にはＣＰＵ１の作業用領域、上記電子楽器を制御するための各種レジスタ、カウンタ、フラグ等が定義されている他、ＲＯＭ２に記憶されている必要なデータが転送されて一時格納されるデータエリア、楽音信号発生部７の各楽音発生回路を未使用チャンネルに割り付けるためのデータを記憶するアサイナメモ等が設けられている。
【００１８】
また、操作パネル５の各キーやスイッチの状態に対応して放音に必要なデータがセットされた複数のレジスタ、鍵盤４のオン／オフにより発生された演奏情報を一時記憶する押鍵マップ、ノートオンカウンタも、このＲＡＭ３に設けられている。
【００１９】
鍵盤４は、発生すべき楽音を指定するために使用されるものであり、複数のキーと、これらキーの押鍵・離鍵動作に連動して開閉するキースイッチとで構成され、検出された押鍵・離鍵動作に伴う信号は上記制御部に通知されて、上記制御部によりＲＡＭ３の所定の領域に一時記憶され必要に応じて読み出される。
【００２０】
操作パネル５には、電源スイッチの他、モード指定スイッチ、メロディ選択スイッチ、リズム選択スイッチ等、各種のスイッチや、本実施の形態の主要な構成要件である表示装置５Ａが設けられている。
【００２１】
操作パネル５の各スイッチのセット／リセット状態は、上記操作パネル５の内部に含まれるパネルスキャン回路によって検出され、検出されたスイッチのセット状態に関するデータは制御部の制御の下にＲＡＭ３の所定の領域に記憶される。
【００２２】
ペダル６は、電子楽器の種類に応じて例えばダンパーペダル、ソフトペダル、ラウドペダル等があり、ペダルの踏込み量に応じて音量を制御したり、音色を変化させて弱音効果を発揮したり、ディケイスピードを制御して、発音状態や発音後の音響状態に変化を与えるものである。
【００２３】
楽音信号発生部７は、ＣＰＵ１から送られた信号に対応する楽音波形データを音色波形メモリ８から読み出してエンベロープを付与することにより、各種楽器に対応した楽音信号を生成出力するものである。
【００２４】
このため、上記楽音信号発生部７には、音色波形メモリ８の記憶内容に基づいて楽音を生成する楽音生成部７ａと、エンベロープ情報メモリ９の記憶内容に基づいてエンベロープを設定するエンベロープ設定部７ｂと、波形にエンベロープを掛け合わせる乗算部７ｄと、打撃成分情報メモリ１０の記憶内容に基づいて打撃成分を設定する打撃成分設定部７ｃと、上記乗算部７ｄの乗算結果に、この打撃成分設定部７ｃにより設定された打撃成分の波形を加算する加算部７ｅが設けられている。
【００２５】
音色波形メモリ８は、例えばＲＯＭ２で構成されて楽音信号を生成するためのデータである周波数ナンバ、波形ナンバ、モードデータ等の楽音の波形データを記憶するものである。弱打、強打等の波形データも上記音色波形メモリ８に記憶されており、楽音生成部７ａの図示しない弱打成分楽音信号生成部や強打成分楽音信号生成部等によりアクセスされる。
【００２６】
エンベロープ情報メモリ９は、楽音成分に応じた種々のエンベロープデータを記憶するものであり、各鍵を押鍵したときに得られる楽音波形のエンベロープが記憶されている。
【００２７】
このエンベロープ情報メモリ９には、例えば同一鍵が押下された場合でも、ペダルがＯＦＦのとき、ＯＮのとき、その他、中間の複数位置のとき等に分けてエンベロープデータが記憶されており、楽音成分選択レジスタ（図示しない）の内容をアドレスとして所定のエンベロープデータが選択され、エンベロープ設定部７ｂに送られる。
【００２８】
打撃成分情報メモリ１０は、周波数が音高に応じて変化しない楽音成分の波形データ、即ち、打撃成分の波形データを記憶するものであり、各鍵を押鍵したときに得られる各音色の楽音波形から、打撃音に関する成分を抽出した結果が記憶されている。
【００２９】
楽音信号発生部７が出力した楽音信号はＤ／Ａ変換器１１でアナログ変換されたのち音響システム１２に送られ、増幅器で所定のレベルに増幅されたのちスピーカから放音される。
【００３０】
上記は一般的な電子楽器の概略機能を説明したものであり、本実施の形態の電子楽器はこのような機能を有する電子楽器において、首記した目的を達成するために、以下のような構成を有している。
【００３１】
図２は、本実施の形態の電子楽器１００の使用状態例を分かり易く説明した概念図である。図２に示したように、本実施の形態においては離れた位置に存在する一方の家３０１には第１の電子楽器１００ａが置かれ、他方の家３０２に第２の電子楽器１００ｂが置かれている。そして、上記一方の家３０１においては一方の演奏者１０１により演奏され、他方の家３０２においては他方の演奏者１０２によって演奏される。また、上記第１の電子楽器１００ａには第１のコントローラ２００ａが配設されており、上記第２の電子楽器１００ｂには第２のコントローラ２００ｂが配設されている。これらの第１のコントローラ２００ａ及び第２のコントローラ２００ｂは同じ機能を有している。これらの第１のコントローラ２００ａ及び第２のコントローラ２００ｂを、図１及び図３においてはコントローラ２００として示している。
【００３２】
上記第１の電子楽器１００ａ及び第１のコントローラ２００ａと、上記第２の電子楽器１００ｂ及び第２のコントローラ２００ｂとは同じ機種ではなくとも良いが、ＭＩＤＩ規格のエクスクルシーブデータを利用して操作データの授受を行うことができるように構成された機種である。
【００３３】
上記第１のコントローラ２００ａ及び第２のコントローラ２００ｂは、図３に示すように、操作情報検出手段２０１、動作制御手段２０２、内部操作データ出力手段２０３、外部操作データ供給手段２０４、表示制御手段２０５、外部記憶媒体制御手段２０６等によって構成されている。
【００３４】
上記操作情報検出手段２０１は、複数の発音指示スイッチと、音色選択やモード選択用の複数の選択スイッチ等を介して行われた操作状態を逐次検出する。上記動作制御手段２０２は、上記操作情報検出手段２０１によって検出された操作情報に基づいて上記電子楽器の発音制御、音色選択制御、及びモード選択制御を行う。
【００３５】
上記内部操作データ出力手段２０３は、上記操作情報検出手段２０１によって逐次検出された全ての操作状態を、例えばＭＩＤＩコード化し（必ずしも、ＭＩＤＩコードでなくてもよく、他のコードを定義して行ってもよい）、内部操作データ２０１ａとして外部機器に出力するとともに、表示制御手段２０５に供給する。本実施の形態の場合、第１の電子楽器１００ａからみた場合の外部機器は第２の電子楽器１００ｂであり、第２の電子楽器１００ｂからみた場合の外部機器は第１の電子楽器１００ａである。上記外部操作データ供給手段２０４は、上記外部機器から供給されるＭＩＤＩコード化された操作データを外部操作データ２０４ａとして上記動作制御手段２０５に供給する。
【００３６】
表示制御手段２０５は、上記内部操作データ２０１ａ及び上記外部操作データ２０４ａの内容を表示装置５Ａに表示する機能を有している。したがって、図２で示したように第１の電子楽器１００ａと第２の電子楽器１００ｂとを公衆通信回線３００を介して接続した状態で、各電子楽器１００ａ及び１００ｂが演奏操作されると、各電子楽器１００ａ及び１００ｂにおいて常に同じ内容が上記表示装置５Ａに夫々表示することができるようになる。
【００３７】
外部記憶媒体制御手段２０６は、上記操作情報検出手段２０１によって検出された操作情報を外部記憶媒体２１０に記憶するとともに、外部記憶媒体２１０に記憶されている操作情報を読み出して、外部操作データ２０６ａとして、上記動作制御手段２０２及び上記表示制御手段２０５に出力する。なお、本実施の形態においては、演奏情報と操作情報の他にマイク情報も検出デジタル化して双去向転送するようにしている。
【００３８】
図４は、操作パネル５の部分的な拡大図であり、モード指定スイッチ、メロディ選択スイッチ、リズム選択スイッチ等、各種のスイッチに番号を割り当てている様子を説明する図である。
【００３９】
図４の例では、上部スイッチに番号１００から１８４を割り当て、下部スイッチに番号２００から２１８を割り当てた例を示している。なお、大型電子オルガンのスイッチの数は２５６を超えるものもありますが、本実施の形態では説明を簡略化するため８ｂｉｔ（１〜２５５）で納まるシステムとして説明する。
【００４０】
「操作手順と送信コード例」
以下に、「ＵＰＰＥＲＳＰＥＣＩＡＬ」系列のゾーン設定変更手順を２通りの方法で示す。
「第１の方法」
（第１の手順）
「ＵＰＰＥＲＳＰＥＣＩＡＬ」系列のエフェクト・セッティングモードから、
・ＳＷ１１７をオン     F0ｈ 40h 13h 75h 01h F7h、
ここで、
F0h：exclusive start command
40h：kawai code
13h：本発明を採用した機種code
75h：UPPER SPECIAL effect/setting SW code（１０進数では１１７）
01h：ON event code
F7h：exclusive end command
・ＳＷ１１７をオフ     F0ｈ 40h 13h 75h 01h F7h、
ここで、
F0h：exclusive start command
40h：kawai code
13h：本発明を採用した機種code
75h：UPPER SPECIAL effect/setting SW code（１０進数では１１７）
01h：ON event code
F7h：exclusive end command
なお、キーオフ以外の「オフ」はイベントとして出力しなくてもよいが、内部的には必ず発生するものである。
【００４１】
上述のような操作を行うと、表示装置５Ａの表示が図５に示すように変化する。
ここで、ＳＷ１０４をオン    F0ｈ 40h 13h 68h 01h F7h、
ＳＷ１０４をオフ    F0ｈ 40h 13h 75h 00h F7h、
とすると、上記表示装置５Ａのカーソルが「ZONE LOW KEY」のところにくる。
【００４２】
また、ＳＷ２１６をオン    F0ｈ 40h 13h D8h 01h F7h、
ＳＷ２１６をオフ    F0ｈ 40h 13h D8h 00h F7h、
とすると、
ZONE LOW KEY＝C2⇒C＃2になる。
そこで、
ZONE LOW KEY＝C3
にするためには、ＳＷ２１６のオンオフ操作を１２回繰り返し行う。
【００４３】
（第２の手順）
グローバル・ビューモードから、
・ＳＷ２１８をオン    F0ｈ 40h 13h DAh 01h F7h、
・ＳＷ２１８をオフ    F0ｈ 40h 13h DAh 00h F7h、
とすると、表示装置５Ａは図６の表示に変わる。
【００４４】
ここで、ＳＷ１０４をオン    F0ｈ 40h 13h 68h 01h F7h、
ＳＷ１０４をオフ    F0ｈ 40h 13h 68h 00h F7h、
とすると、上記表示装置５Ａのカーソルが「ZONE LOW KEY」のところにくる。
【００４５】
また、ＳＷ２１６をオン    F0ｈ 40h 13h D8h 01h F7h、
ＳＷ２１６をオフ    F0ｈ 40h 13h D8h 00h F7h、
とすると、
ZONE LOW KEY＝C2⇒C＃2になる。
そこで、
ZONE LOW KEY＝C3
にするためには、ＳＷ２１６のオンオフ操作を１２回繰り返し行う。
【００４６】
「第２の方法」
グローバル・ビューモードから、
・ＳＷ２１８をオン    F0ｈ 40h 13h DAh 01h F7h、
・ＳＷ２１８をオフ    F0ｈ 40h 13h DAh 00h F7h、
とすると、表示装置５Ａは図６の表示に変わる。
【００４７】
そこで、
・ＳＷ２１８をオン    F0ｈ 40h 13h 6Ah 01h F7h、
・ＳＷ２１８をオフ    F0ｈ 40h 13h 6Ah 00h F7h、
とすると、表示装置５Ａにおいては「グローバル・ビュー画面」が「ロワー音色名称」の表示状態に変化する。
【００４８】
更に、ＳＷ１０６のオンオフを３回すると、図７に示したように、「UPPER KEYBOARD ZONE 画面」になる。この画面状態において、
・ＳＷ１０４をオン    F0ｈ 40h 13h 68h 01h F7h、
とすると、
表示装置５Ａのカーソルが「UPPERSPECIAL」に移動する。
【００４９】
また、
・アッパー鍵盤C＃1を押す    90ｈ 25h 60h、
90h：アッパー鍵盤のキーオンイベントを示す。
25h：キーＮo.３７を示す。
60h：ベロシティ９６であることを示す。
と、表示装置５Ａの「UPPER SPECIAL ZONE LOW」が「Ｃ＃１」と表示される。
・ＳＷ１０４をオフ    F0ｈ 40h 13h 68h 00h F7h、
【００５０】
以上のように「第１の方法」、「第２の方法」のいずれの操作手順であっても、「UPPERSPECIAL」系列の「ZONE LOW」を設定することが可能であるが、そのときに演奏者がどのような観点で作業しているかによって、作業効率が変わる。
【００５１】
なお、上記説明において、従来の通常ＭＩＤＩコードで送信されるのは、
アッパー鍵盤「Ｃ＃１」を押す  90h 25h 60h、
90h：アッパー鍵盤のキーオンイベントを示す。
25h：キーＮｏ．３７を示す。
60h：ベロシティ９６であることを示す。
等の情報だけである。
【００５２】
したがって、従来の情報共有システムの場合には、上述した本実施の形態で説明した操作手順毎の画面表示は行われない。それに対して、上述した実施の形態のように、複数の電子楽器１００を接続して操作情報共有システムを構成した場合に、従来の通常ＭＩＤＩケーブル接続したレッスンシステムと比較して、生徒は先生の操作手順を表示装置５Ａにより知ることができる。すなわち、自分で操作している電子楽器の表示装置５Ａにおいて、相手楽器の操作手順を直接知ることができるので、テレビ電話等の媒体を介して間接的に知る場合と比較して、操作手順を習得する効率を大幅に向上させることができる。
【００５３】
上述した実施の形態においては、操作手順を表示装置５Ａに表示して知らせるようにした例を示したが、上記表示装置５Ａは必ずしもなくてもよく、例えば、自楽器及び相手楽器の操作手順の操作手順を音声にて知らせるようにしてもよい。
【００５４】
（本発明の他の実施形態）
前述した実施形態の機能を実現するべく各種のデバイスを動作させるように、該各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００５５】
また、この場合、上記ソフトウェアのプログラムコード自体が前述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５６】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれることは言うまでもない。
【００５７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれることは言うまでもない。
【図面の簡単な説明】
【００５８】
【図１】本発明の実施の形態を示し、電子楽器の全体構成を示すブロック図である。
【図２】電子楽器における操作情報共有システムの一例を示す図である。
【図３】電子楽器に設けられるコントローラの一例を示すブロック図である。
【図４】操作パネルの部分的な拡大図であり、モード指定スイッチ、メロディ選択スイッチ、リズム選択スイッチ等、各種のスイッチに番号を割り当てている様子を説明する図である。
【図５】操作手順に応じて変化する表示装置の画面例を示し、第１の表示例を示す図である。
【図６】操作手順に応じて変化する表示装置の画面例を示し、第２の表示例を示す図である。
【図７】操作手順に応じて変化する表示装置の画面例を示し、第３の表示例を示す図である。
【符号の説明】
【００５９】
５  操作パネル
５Ａ  操作パネル
１００  電子楽器
１００ａ  第１の電子楽器
１００ｂ  第２の電子楽器
２００  コントローラ
２００ａ  第１のコントローラ
２００ｂ  第２のコントローラ
２０１  操作情報検出手段
２０２  動作制御手段
２０３  内部操作データ出力手段
２０４  外部操作データ供給手段
２０５  表示制御手段
２０６  外部記憶媒体制御手段
２１０  外部記憶媒体
【図１】
2005284077.tif 000003
【図２】
2005284077.tif 000004
【図３】
2005284077.tif 000005
【図４】
2005284077.tif 000006
【図５】
2005284077.tif 000007
【図６】
2005284077.tif 000008
【図７】
2005284077.tif 000009